(57)【要約】【課題】長期間に渡り流木・転石止めの機能を維持するとともに、魚道水路の出口部に水の静水部を形成することができるようにする。【解決手段】本発明の堰堤魚道出口部の防護壁１は、堰堤の上流壁２ａに開口する魚道水路３の出口部３ａを防護する鋼材製の柵４と、該出口部３ａへ向かう流水の少なくとも一部を遮るように柵４の反出口部側に配設された多数の廃タイヤ１３とを備えている。柵４は、出口部３ａの前方及び上方をそれぞれ防護する正面部５及び天井部６からなっている。また、柵４は、鋼材１１，１２，２１，２２が廃タイヤ１３の外径と略等しい間隔ごとに格子状に配設されてなり、廃タイヤ１３は、その穴の中心が柵４の格子穴の略中央に位置するように配設されている。【選択図】　　　図２
2004011314.tif 000002
【特許請求の範囲】
【請求項１】
堰堤の上流壁に開口する魚道水路の出口部を防護する鋼材製の柵と、該出口部へ向かう流水の少なくとも一部を遮るように該柵の反出口部側に配設された弾性材料よりなるクッション材とを備えた堰堤魚道出口部の防護壁。
【請求項２】
前記柵は、前記出口部の前方及び上方をそれぞれ防護する正面部及び天井部からなる請求項１記載の堰堤魚道出口部の防護壁。
【請求項３】
前記クッション材は、廃タイヤである請求項１又は２記載の堰堤魚道出口部の防護壁。
【請求項４】
前記柵は、鋼材が前記廃タイヤの外径と略等しい間隔ごとに格子状に配設されてなり、
前記廃タイヤは、その穴の中心が前記柵の格子穴の略中央に位置するように配設された請求項３記載の堰堤魚道出口部の防護壁。
【発明の詳細な説明】
【０００１】
【発明の属する技術分野】
本発明は、砂防ダム・治水ダム等の堰堤に設置した魚道出口部に設置される防護壁に関するものである。
【０００２】
【従来の技術】
砂防ダム・治水ダム等の堰堤に設置した魚道水路の出口部や魚道水路内には流木や転石が堆積し易く、その堆積量が大量になると該出口部や魚道水路が閉鎖され遡上した魚類が上流に脱出できなくなることがある。しかし、従来、魚道水路の出口部に流木や転石を防護する防護施設が設けられた例は少ない。この従来の防護施設としては、例えば、魚道水路の出口部の周囲を鉄柵で囲んだものや、魚道水路の出口部の前方にコンクリート壁を設けたものがある。
【０００３】
【発明が解決しようとする課題】
ところが、鉄柵は、流木止めには効果があるが、転石に対しては強度が小さいという問題がある。このため、転石により破壊され、結局流木や転石等により魚道水路の出口部が閉鎖されてしまうことが多い。
【０００４】
また、コンクリート壁では、魚道水路の出口部へ向かう流木や転石を一時的に止めても、再流入して魚道水路内に堆積することが多いという問題がある。
【０００５】
しかも、魚道水路の出口部を開放するメンテナンスは、現実的に実施される回数が少ないので、一旦出口部が閉鎖されてしまうと、長期間にわたり魚道水路としての機能を発揮できないことがあるという問題もある。
【０００６】
さらに、従来の防護施設では、魚道水路の出口部における水の流速が速く、該出口部から堰堤の上流側へ魚類が脱出し難く、魚類の遡上に悪影響をもたらしている。
【０００７】
本発明の第一の目的は、上記課題を解決し、長期間に渡り流木・転石止めの機能を維持することができる堰堤魚道出口部の防護壁を提供することにあり、第二の目的は、魚道水路の出口部に水の静水部を形成することができる堰堤魚道出口部の防護壁を提供することにある。
【０００８】
【課題を解決するための手段】
上記目的を達成するために、本発明の堰堤魚道出口部の防護壁は、堰堤の上流壁に開口する魚道水路の出口部を防護する鋼材製の柵と、該出口部へ向かう流水の少なくとも一部を遮るように該柵の反出口部側に配設された弾性材料よりなるクッション材とを備えている。
【０００９】
前記柵は、前記出口部の前方及び上方をそれぞれ防護する正面部及び天井部からなる態様を例示できる。同態様の場合、前記クッション材は、正面部の反出口部側のみに設けてもよいが、加えて天井部の上側にも設けることが好ましい。また、クッション材を天井部の上側のみに設けた場合でも、天井部に転石や流木が衝突した時の衝撃を緩和することができる。
【００１０】
前記クッション材の弾性材料としては、特に限定されないが、ゴム、軟質樹脂又はそれらの発泡材料を例示できる。クッション材の形状としては、特に限定されないが、環状、球状、棒状、多面体状等を例示できる。クッション材の具体的態様としては、特に限定されないが、廃タイヤを例示できる。この廃タイヤとしては、特に限定されないが、古タイヤ、売れ残りタイヤも含むものとする。
【００１１】
前記柵は、鋼材が前記廃タイヤの外径と略等しい間隔ごとに格子状に配設されてなり、前記廃タイヤは、その穴の中心が前記柵の格子穴の略中央に位置するように配設された態様を例示する。
【００１２】
【発明の実施の形態】
図１〜図４は、本発明を具体化した一実施形態例の堰堤魚道出口部の防護壁１を示している。本防護壁１は、図１に示すように堰堤２の上流壁２ａに開口する魚道水路３の出口部３ａを防護する鋼材製の柵４と、該出口部３ａへ向かう流水の少なくとも一部を遮るように該柵４の反出口部側に配設されたクッション材としての廃タイヤ１３とを備えている。本例の魚道水路３は、略直線的に進みながら高くなる直線チャネル部７と、曲線的に進みながら高さの略変わらない曲線チャネル部８とが交互に連続し、もって平面形状が略長円形となるように構築された螺旋式のものが採用されている。また、本例では、出口部３ａの側方に呼び水導水路９の入口部９ａが配設されており、防護壁１により該入口部９ａも防護されるようになっている。
【００１３】
柵４は、出口部３ａの前方に立設された正面部５と、出口部３ａの上方において上流壁２ａ及び正面部５の間に架設された天井部６とを備えている。
【００１４】
柵４の正面部５は、図２及び図３に示すように上流壁２ａの壁面に沿うように所定間隔をおいて左右に列設された複数本（本例では５本）の柱材１１と、該複数の柱材１１を連結するように該柱材１１の上端から所定間隔をおいて上下に列設された複数本（本例では３本）の横梁材１２とからなり、格子状に形成されている。各柱材１１と上流壁２ａの出口部３ａ下側との間には、正面部５の出口部３ａ略正面を補強するための略水平に延びる補強梁材１４が配設されている。本例における柱材１１、横梁材１２、及び補強梁材１４としてはＨ形鋼からなる態様を例示するが、鋼管等の他の鋼材からなるようにしてもよい。柱材１１及び補強梁材１４の上流壁２ａへの固定方法としては、特に限定されないが、上流壁２ａに凹設された穴１８に部材１１，１４の端部を挿入し、それらの隙間にモルタルを充填することにより固定した態様を例示する。また、柱材１１、横梁材１２、補強梁材１４等の鋼材の連結方法としては、特に限定されず、溶接接合やボルト接合等を適宜採用することができる。柱材１１同士及び横梁材１２同士の配設間隔は、それぞれ廃タイヤ１３の外径と略等しくなるように設定されている。
【００１５】
柵４の天井部６は、図２及び図４に示すように各柱材１１の上端及び上流壁２ａの間に架設された縦梁材２１と、該複数（本例では５本）の縦梁材２１を連結するように所定間隔をおいて前後に列設された複数本（本例では２本）の横梁材２２とからなり、格子状に形成されている。天井部６の縦梁材２１の略中央部と補強梁材１４との間には、天井部６を補強するための略垂直に延びる補強柱材２３が配設されている。縦梁材２１、横梁材２２、補強柱材２３は、正面部５の柱材１１等と同様の鋼材からなっている。縦梁材２１の上流壁２ａへの固定方法は、正面部５の柱材１１や補強梁材１４のそれと同様である。縦梁材２１、横梁材２２、補強柱材２３等の鋼材の連結方法は、正面部５の鋼材のそれと同様である。縦梁材２１同士及び横梁材２２同士の配設間隔は、正面部５の柱材１１同士及び横梁材１２同士のそれと同様である。
【００１６】
廃タイヤ１３は、柵４の正面部５の反出口部側に前後２段に、天井部６の上側に１段に、それぞれ配設されている。正面部５の廃タイヤ１３は、出口部３ａの底面の高さ位置（又はそれ以下の高さ位置）と略等しい高さ位置よりも上側における正面部５の略全面に渡って配設されている。正面部５の１段目の廃タイヤ１３は、正面視でその穴１３ａの中心が正面部５の各格子穴５ａの略中央に位置するようにして上下３行左右４列に配設されている。そして、正面部５の２段目の廃タイヤ１３は、正面視でその穴１３ａの中心が１段目の隣接する４つの廃タイヤ１３の略中央に位置するように配設されている。また、天井部６の廃タイヤ１３は、正面部５の１段目の廃タイヤ１３と同様にして天井部６の略全面に渡って前後２行左右４列に配設されている。このように廃タイヤ１３を配設することにより、正面部５の各格子穴５ａの中央部における流水の透過性を妨げないようにしている。廃タイヤ１３の柵４への固定方法としては、特に限定されないが、本例では自在バンド１５で固定する方法を採用している。
【００１７】
以上のように構成された本発明の堰堤魚道出口部の防護壁１によれば、次のような作用・効果が得られる。
（１）魚道水路３の出口部３ａの略正面に配設された正面部５に廃タイヤ１３を配設することにより、廃タイヤ１３の側面で流水を遮り、その陰に水Ｗの静水部３５を形成するようにしている。このため、魚類３０が出口部３ａから静水部３５を経て堰堤２の上流側へ楽に脱出することができる。
【００１８】
（２）廃タイヤ１３は穴１３ａを備えているので、該廃タイヤ１３を配設しても正面部５及び天井部６の柵構造による流水の透過性を維持することができ、もって流水を透過させながらも転石３１や流木３２を止め、魚道水路３に流入しないようにする柵としての機能を維持することができる。しかも、廃タイヤ１３は、その穴１３ａが正面部５の格子穴５ａ及び天井部６の格子穴６ａの略中央に位置するように配設されているので、各格子穴５ａ，６ａの中央部における流水の透過性を十分に確保することができる。
【００１９】
（３）廃タイヤ１３のクッション作用により、正面部５及び天井部６に転石３１や流木３２が衝突した時の衝撃を緩和することができる。このため、転石３１や流木３２の衝突時のダメージを低減し、防護壁１の耐久性を向上することができる。
【００２０】
（４）正面部５に衝突した転石３１は該正面部５の前方に落下し、流木３２は該正面部５が備える柵構造により該正面部５表面に留まる。また、天井部６に乗り上げた転石３１や流木３２は、天井部６表面に留まる。このため、転石３１や流木３２の魚道水路３への流入が防止され、転石３１や流木３２が魚道水路３内で堆積しにくい構造となっており、もって魚道水路３の機能を長期に渡り維持することができる。
【００２１】
（５）柱材１１の下端部と、補強梁材１４及び縦梁材２１の後端部とを堰堤２の上流壁２ａに固定することにより、防護壁１が堰堤２の上流壁２ａに支持されるように構成しているので、堰堤２の上流壁２ａに開口する魚道水路３の出口部３ａの高さや場所に関わらず、その付近に同一構造のものを設置することができる。
【００２２】
（６）クッション材として廃タイヤ１３を採用しているので、そのリサイクルに貢献することができる。
【００２３】
なお、本発明は前記実施形態に限定されるものではなく、例えば以下のように、発明の趣旨から逸脱しない範囲で適宜変更して具体化することもできる。
（１）廃タイヤ１３に代えて、他のクッション材を適宜採用すること。
（２）転石３１や流木３２が正面部５の背後に回り込むのを防止するために、防護壁１の左右に側柵を設けること。
【００２４】
【発明の効果】
請求項１〜４の発明に係る堰堤魚道出口部の防護壁によれば、長期間に渡り流木・転石止めの機能を維持することができ、また、魚道水路の出口部に水の静水部を形成することができるという優れた効果を奏する。
【図面の簡単な説明】
【図１】本発明の実施形態に係る防護壁が魚道出口部に設置された堰堤を示す側面図である。
【図２】同防護壁の側面図である。
【図３】同防護壁の正面図である。
【図４】同防護壁の平面図である。
【符号の説明】
１　　防護壁
２　　堰堤
２ａ　上流壁
３　　魚道水路
３ａ　出口部
５　　正面部
５ａ　格子穴
６　　天井部
６ａ　格子穴
１１　　柱材
１２　　横梁材
１３　　廃タイヤ
１３ａ　穴
１４　　補強梁材
２１　　縦梁材
２２　　横梁材
２３　　補強柱材
３０　　魚類
３１　　転石
３２　　流木
３５　　静水部
Ｗ　　　水
【図１】
2004011314.tif 000003
【図２】
2004011314.tif 000004
【図３】
2004011314.tif 000005
【図４】
2004011314.tif 000006